(57)【要約】【課題】可搬性の向上および作業効率の向上を図ること。【解決手段】スライド可能に連結された一対の板状部材からなり、一方の板状部材が他方の板状部材に対してスライドすることによりスライド方向における長さが調整可能な足場部１０１と、足場部１０１のスライド方向における一端側に設けられ、先端２０１ｂが鈎状に屈曲した棒状部材２０１ａからなる第１のフック部２０１と、足場部１０１のスライド方向における他端側に設けられたロープ部２０２ａと、ロープ部２０２ａに設けられ、架線対象物に対してロープ部２０２ａを固定する固定部２０２ｂと、を備えた簡易足場装置１００を構成した。【選択図】図６
2011030287.tif 000002
【特許請求の範囲】
【請求項１】
スライド可能に連結された一対の板状部材からなり、一方の板状部材が他方の板状部材に対してスライドすることによりスライド方向における長さが調整可能な足場部と、
前記足場部の前記スライド方向における一端側に設けられ、先端が鈎状に屈曲した棒状部材からなるフック部と、
前記足場部の前記スライド方向における他端側に設けられたロープ部と、
前記ロープ部に設けられ、架線対象物に対して前記ロープ部を固定する固定部と、
を備えたことを特徴とする簡易足場装置。
【請求項２】
前記足場部は、前記一方の板状部材が前記他方の板状部材に対してスライドした所定の位置で前記一対の板状部材の位置関係を固定する位置固定部を備えたことを特徴とする請求項１に記載の簡易足場装置。
【請求項３】
前記足場部は、前記フック部をなす前記棒状部材を収納可能な収納部を備え、
前記フック部は、前記収納部に対して収納可能に設けられていることを特徴とする請求項１または２に記載の簡易足場装置。
【請求項４】
前記フック部は、前記足場部の前記スライド方向における一端側に対して自在継手機構を介して連結されており、当該自在継手機構において前記フック部を前記足場部に対して折りたたむことによって前記収納部に対して収納されることを特徴とする請求項３に記載の簡易足場装置。
【請求項５】
前記固定部は、開閉可能な環形状をなす環状部材と当該環状部材の開閉をロックするロック機構とを有し、前記環状部材の内周側に前記架線対象物に巻き付けられた状態の前記ロープ部を位置づけた状態で当該環状部材の開閉を前記ロック機構によってロックすることにより、前記架線対象物に対して前記ロープ部を固定することを特徴とする請求項１〜４のいずれか一つに記載の簡易足場装置。
【請求項６】
前記足場部は、作業者が足を乗せる位置に設けられた滑り止め部材を備えたことを特徴とする請求項１〜５のいずれか一つに記載の簡易足場装置。
【発明の詳細な説明】
【技術分野】
【０００１】
この発明は、高所作業に用いる簡易足場装置に関する。
【背景技術】
【０００２】
従来、架空送電鉄塔に設けられた碍子やクランプ付近における作業の実施に際しては、たとえば腕金と電力線との間に架け渡した梯子足場を用いている（図１０における符号１０００を参照）。梯子足場は、その重量が１１ｋｇ〜４６ｋｇ程度と重く、頑丈な構成であることが多い。
【０００３】
このため、梯子足場は、梯子足場の運搬が容易な箇所における作業や、碍子の取り替え作業などの重量作業などに際して用いられることが多く、点検作業などのように作業内容が簡易である場合は、クランプに架けたロープの両端を鉄塔腕金に固縛したロープを足場として用いることも多い（図１１における符号１１００を参照）。
【０００４】
また、従来、たとえば架線梯子の先端領域に装着される補助アームを、先端領域に係止される係止部材と、電力線に一端が係合される吊り部材とをそれぞれ両端部に備えた懸架体とから構成し、当該補助アームを架線梯子に装着するようにした技術があった（たとえば、下記特許文献１を参照。）。
【先行技術文献】
【特許文献】
【０００５】
【特許文献１】特開２００８−１８２７９５号公報
【発明の概要】
【発明が解決しようとする課題】
【０００６】
しかしながら、上述した特許文献１を含む従来の技術のような既存の架線梯子は、重量が重くサイズが大きい。鉄塔などの架線梯子を使用する大型の送電設備は、人里から離れた山間部など人が立ち入る機会が少ない場所に設置されていることが多く、鉄塔の周囲には雑草が茂っていることが多い。このような事情から、重量が重くサイズが大きい既存の架線梯子では、運搬や設置作業に際しての機動性に劣るという問題があった。
【０００７】
具体的に、足場の設置を必要とする作業に際しては、通い綱を用いて架線梯子を鉄塔上部へ持ち上げる必要がある。このため、架線梯子を鉄塔上部へ持ち上げるために作業員を増員したり、架線梯子を鉄塔上部へ持ち上げる時間の分作業時間が長くなってしまったりしている現状があった。
【０００８】
また、上述した従来の技術のようにロープを足場として用いる場合、乗り出し作業時に足場がふらついて安定せず、作業性に劣るという問題があった。また、風の強い状況でロープを足場として用いる場合は、当該ロープをクランプ先に引っ掛けることが困難であり、作業者の熟練度によって作業の効率にばらつきがあるという問題があった。
【０００９】
この発明は、上述した従来技術による問題点を解消するため、可搬性の向上および作業効率の向上を図ることができる簡易足場装置を提供することを目的とする。
【課題を解決するための手段】
【００１０】
上述した課題を解決し、目的を達成するため、この発明にかかる簡易足場装置は、スライド可能に連結された一対の板状部材からなり、一方の板状部材が他方の板状部材に対してスライドすることによりスライド方向における長さが調整可能な足場部と、前記足場部の前記スライド方向における一端側に設けられ、先端が鈎状に屈曲した棒状部材からなるフック部と、前記足場部の前記スライド方向における他端側に設けられたロープ部と、前記ロープ部に設けられ、架線対象物に対して前記ロープ部を固定する固定部と、を備えたことを特徴とする。
【００１１】
この発明によれば、運搬に際しては足場部における一対の板状部材を重ね合わせた状態とすることで小型化を図り、乗り出し作業に際しては足場部の長さを調整することにより乗り出し作業に必要な長さの足場を容易に確保することができる。また、この発明によれば、足場部の長さを調整した状態で、フック部を架線対象物に引っ掛けるとともに架線対象物にロープ部を巻き付けることによって、簡易足場装置を容易に設置することができる。
【００１２】
これによって、この発明にかかる簡易足場装置によれば、足場部の長さを適宜調整することによって運搬時における小型化を図りつつ乗り出し作業に支障のない長さの足場を確保することができる。
【００１３】
また、この発明によれば、足場部の他端側を柔軟性を有するロープ部によって支えることにより設置環境に左右されることなく簡易足場装置を確実に設置するとともに、足場部の一端側を棒状部材がなすフック部によって支えることにより乗り出し作業に際しての足場部のふらつきを抑えることができる。これによって、この発明にかかる簡易足場装置によれば、乗り出し作業に際しての安定した足場を確保することができる。
【００１４】
また、この発明によれば、運搬に際しては簡易足場装置を運搬する作業者の身体にロープ部を回した状態で当該ロープ部を固定部によって固定することにより、簡易足場装置を運搬するための装備を別途用いることなく簡易足場装置のみを確実に運搬することができる。これによって、この発明にかかる簡易足場装置によれば、簡易足場装置の運搬作業に際して作業者にかかる負担を軽減することができる。
【００１５】
また、この発明にかかる簡易足場装置は、上記の発明において、前記足場部が、前記一方の板状部材が前記他方の板状部材に対してスライドした所定の位置で前記一対の板状部材の位置関係を固定する位置固定部を備えたことを特徴とする。
【００１６】
この発明によれば、乗り出し作業に際しての足場の安定化を図り、作業者の安全性を確保することができる。
【００１７】
また、この発明にかかる簡易足場装置は、上記の発明において、前記足場部が、前記フック部をなす前記棒状部材を収納可能な収納部を備え、前記フック部が、前記収納部に対して収納可能に設けられていることを特徴とする。
【００１８】
この発明によれば、簡易足場装置の運搬に際しては、収納部にフック部を収納した状態とすることによって、簡易足場装置の小型化を図ることができる。これによって、この発明にかかる簡易足場装置によれば、簡易足場装置の運搬作業に際して作業者にかかる負担を軽減することができる。
【００１９】
また、この発明にかかる簡易足場装置は、上記の発明において、前記フック部が、前記足場部の前記スライド方向における一端側に対して自在継手機構を介して連結されており、当該自在継手機構において前記フック部を前記足場部に対して折りたたむことによって前記収納部に対して収納されることを特徴とする。
【００２０】
この発明によれば、棒状部材によってフック部を実現することにより乗り出し作業に際しての足場部のふらつきを抑えるとともに、足場部に対するフック部の自由度の向上を図ることができる。これによって、この発明にかかる簡易足場装置によれば、設置環境に左右されることなく乗り出し作業に際しての安定した足場を確保することができる。
【００２１】
また、この発明によれば、簡易足場装置の運搬に際しては、フック部を足場部に対して折りたたんで収納部に対して収納することによって、簡易足場装置の小型化を図ることができる。これによって、この発明にかかる簡易足場装置によれば、簡易足場装置の運搬作業に際して作業者にかかる負担を軽減することができる。
【００２２】
また、この発明にかかる簡易足場装置は、上記の発明において、前記固定部が、開閉可能な環形状をなす環状部材と当該環状部材の開閉をロックするロック機構とを有し、前記環状部材の内周側に前記架線対象物に巻き付けられた状態の前記ロープ部を位置付けた状態で当該環状部材の開閉を前記ロック機構によってロックすることにより、前記架線対象物に対して前記ロープ部を固定することを特徴とする。
【００２３】
この発明によれば、架線対象物に対してロープ部を容易かつ確実に固定することができる。
【００２４】
また、この発明にかかる簡易足場装置は、上記の発明において、前記足場部が、作業者が足を乗せる位置に設けられた滑り止め部材を備えたことを特徴とする。
【００２５】
この発明によれば、乗り出し作業に際して、足場部に乗せた作業者の足の足場部に対する位置の安定化を図ることができ、乗り出し作業に際しての安定した足場を確保することができる。
【発明の効果】
【００２６】
この発明にかかる簡易足場装置によれば、運搬時における小型化を図りつつ乗り出し作業に支障のない長さの足場を確保するとともに、運搬に際しての作業者の負担軽減を図ることができるので、可搬性の向上および作業効率の向上を図ることができるという効果を奏する。
【図面の簡単な説明】
【００２７】
【図１】この発明にかかる実施の形態の簡易足場装置の構成を示す説明図（その１）である。
【図２】この発明にかかる実施の形態の簡易足場装置の構成を示す説明図（その２）である。
【図３】この発明にかかる実施の形態の簡易足場装置の構成を示す説明図（その３）である。
【図４】この発明にかかる実施の形態の簡易足場装置の構成を示す説明図（その４）である。
【図５】この発明にかかる実施の形態の簡易足場装置の使用方法を示す説明図（その１）である。
【図６】この発明にかかる実施の形態の簡易足場装置の使用方法を示す説明図（その２）である。
【図７】この発明にかかる実施の形態の簡易足場装置の使用方法を示す説明図（その３）である。
【図８】この発明にかかる実施の形態の簡易足場装置の使用方法を示す説明図（その４）である。
【図９】この発明にかかる実施の形態の簡易足場装置の使用方法を示す説明図（その５）である。
【図１０】従来の高所作業の一例を示す説明図（その１）である。
【図１１】従来の高所作業の一例を示す説明図（その２）である。
【発明を実施するための形態】
【００２８】
以下に添付図面を参照して、この発明にかかる簡易足場装置の好適な実施の形態を詳細に説明する。
【００２９】
（簡易足場装置の構成）
まず、この発明にかかる実施の形態の簡易足場装置の構成について説明する。図１、図２、図３および図４は、この発明にかかる実施の形態の簡易足場装置の構成を示す説明図である。
【００３０】
図１、図２、図３および図４において、この発明にかかる実施の形態の簡易足場装置１００は、足場部１０１と、支持部１０２と、を備えている。足場部１０１は、第１の足場部１０１ａと第２の足場部１０１ｂとを備えている。第１の足場部１０１ａおよび第２の足場部１０１ｂは、それぞれ、スライド可能に連結された板状部材からなる。
【００３１】
第１の足場部１０１ａおよび第２の足場部１０１ｂは、第１の足場部１０１ａおよび第２の足場部１０１ｂの長手方向（図３における矢印３００を参照）に沿って相対的にスライド可能とされている。第１の足場部１０１ａに対して第２の足場部１０１ｂを相対的にスライドさせることによって、スライド方向における足場部１０１の長さを調整することができる。
【００３２】
図１においては、第１の足場部１０１ａと第２の足場部１０１ｂとが重なった状態を示している。図２においては、図１に示した状態から、足場部１０１の長手方向に沿って第１の足場部１０１ａおよび第２の足場部１０１ｂを相対的にスライドさせ、第１の足場部１０１ａから第２の足場部１０１ｂを引き出した状態を示している。図３においては、図２に示した状態の簡易足場装置１００を、当該簡易足場装置１００の使用に際しての下側から見た状態を示している。また、図４においては、図３におけるＡ−Ａ断面を示している。
【００３３】
第１の足場部１０１ａおよび第２の足場部１０１ｂは、それぞれ、長方形の金属板における一対の長辺をそれぞれ直角に折り曲げることによって形成された略コの字形状をなす平板状部材を、幅方向（長手方向に直交する方向）に隣り合わせた状態で連結することによって構成されている。略コの字形状をなす平板状部材は、金属材料によって形成されていることが好ましく、具体的には、たとえば軽量アルミニウム製であることが好ましい。
【００３４】
長方形の金属板を略コの字形状に折り曲げた平板状部材を用いて第１の足場部１０１ａおよび第２の足場部１０１ｂを形成することにより、簡易足場装置１００の使用に際して作業者の体重などの荷重が加えられる方向における平板状部材の強度を確保することができる。また、略コの字形状をなす平板状部材を幅方向に隣り合わせることによって、簡易足場装置１００の使用に際して作業者の体重などの荷重が加えられる方向における第１の足場部１０１ａの強度を確保することができる。
【００３５】
第１の足場部１０１ａにおいて、略コの字形状をなす平板状部材は、連結用の部材３０１を介して連結されている。連結用の部材３０１は、たとえば略コの字形状をなす平板状部材と同じ材質を用いて実現することができる。具体的には、連結用の部材３０１は、たとえば軽量アルミニウム製の角材、板材によって実現することができる。
【００３６】
第２の足場部１０１ｂにおいて、略コの字形状をなす２つの平板状部材は、略コの字の連結用の部材３０２を介して連結されている。連結用の部材３０２は、たとえば第２の足場部１０１ｂをなす２つの平板状部材と同じ材質を用いて実現することができる。具体的には、連結用の部材３０２は、たとえば軽量アルミニウム製の板材を略コの字形状に折り曲げることによって実現することができる。
【００３７】
連結用の部材３０２は、第１の足場部１０１ａにおける連結部分をまたぐようにして第２の足場部１０１ｂをなす２つの平板状部材を連結している。また、連結用の部材３０２は、第１の足場部１０１ａに対して第２の足場部１０１ｂをスライドさせた場合に第１の足場部１０１ａを構成する平板状部材に干渉しない位置に位置付けられている。
【００３８】
第１の足場部１０１ａおよび第２の足場部１０１ｂにおいて、使用に際して上側となる面には、滑り止め部材１０３が設けられている。滑り止め部材１０３は、第１の足場部１０１ａおよび第２の足場部１０１ｂにおいて、複数箇所に設けられている。滑り止め部材１０３は、第１の足場部１０１ａおよび第２の足場部１０１ｂの全域にわたって均等に分散した状態で設けられていることが好ましい。
【００３９】
この実施の形態においては、滑り止め部材１０３が、第１の足場部１０１ａおよび第２の足場部１０１ｂにおいて分散した状態で設けられている例について説明したが、滑り止め部材１０３の位置はこれに限るものではない。滑り止め部材１０３は、第１の足場部１０１ａおよび第２の足場部１０１ｂにおける全面に隙間なく設けられていてもよい。
【００４０】
滑り止め部材１０３は、具体的には、少なくとも一面側に摩擦係数の高い材料が設けられたシート状の部材によって実現することができる。具体的には、たとえばゴムなどのように、摩擦係数の高い材料を用いて形成されたシート状の部材によって実現することができる。
【００４１】
また、滑り止め部材１０３は、具体的には、たとえば研磨紙（サンドペーパーあるいはアブレーシブペーパー）における研磨面を表側にして、第１の足場部１０１ａおよび第２の足場部１０１ｂに貼り付けることによって実現することもできる。滑り止め部材１０３として研磨紙を用いる場合、溶融アルミナ、炭化ケイ素、エメリー、ガーネット、珪石などのように公知の各種の研磨材が設けられた研磨紙を用いることができる。
【００４２】
滑り止め部材１０３をシート状の部材によって実現する場合、当該シート状の部材における第１の足場部１０１ａおよび第２の足場部１０１ｂに対向する側の面すなわち裏面側に、粘着剤を塗布したシールのような構成としてもよい。裏面側に粘着剤が塗布されたシート状の部材によって滑り止め部材１０３を実現することにより、第１の足場部１０１ａおよび第２の足場部１０１ｂに対して、滑り止め部材１０３を容易に設けることができる。
【００４３】
また、裏面側に粘着剤が塗布されたシート状の部材によって滑り止め部材１０３を実現することにより、たとえば作業者の足の大きさや作業者の好みなどに合わせて、任意の位置に滑り止め部材１０３を設けることができる。具体的には、たとえば第１の足場部１０１ａや第２の足場部１０１ｂにおけるエッジ部分にのみ滑り止め部材１０３を設けてもよいし、足場部１０１の長手方向に沿って等間隔に滑り止め部材１０３を設けてもよい。このように、任意の位置に滑り止め部材１０３を設けることによって、作業者ごとに使い勝手のよい簡易足場装置１００を実現することができる。
【００４４】
足場部１０１は、第１の足場部１０１ａおよび第２の足場部１０１ｂの位置関係を固定する位置固定部３０３を備えている。位置固定部３０３は、第１の足場部１０１ａが第２の足場部１０１ｂに対してスライドした所定の位置で、第１の足場部１０１ａおよび第２の足場部１０１ｂの位置関係を固定する。具体的には、位置固定部３０３は、たとえば図４に示すように、第１の足場部１０１ａをなす２つの平板状部材の連結部分および第２の足場部１０１ｂをなす２つの平板状部材の連結部分を貫通する穴４０１と、当該穴４０１に挿入される閂状部材４０２と、によって実現することができる。
【００４５】
位置固定部３０３をなす穴４０１は、第１の足場部１０１ａおよび第２の足場部１０１ｂの長手方向に沿って複数設けられている。位置固定部３０３をなす複数の穴４０１は、所定間隔ごとに設けられている。これにより足場部１０１がなす長さを所定間隔単位で調整することができる。位置固定部３０３をなす複数の穴４０１を所定間隔ごとに設けることにより、略コの字形状をなす平板状部材における折り曲げ部分の強度低下を防止し、当該折り曲げ部分の強度を確保することができる。そして、略コの字形状をなす平板状部材における折り曲げ部分の強度を確保することにより、簡易足場装置１００を用いて乗り出し作業をおこなう作業者の安全を確保することができる。
【００４６】
位置固定部３０３をなす複数の穴４０１は、所定間隔ごとに設けられているものに限らず、不定間隔ごとに設けられていてもよい。具体的には、たとえば足場部１０１の長さとして要求が高いと想定される位置において足場部１０１の長さを固定するように、位置固定部３０３をなす複数の穴４０１を設けることにより、作業者の要望に合致した使いやすい足場を確保することができる。
【００４７】
支持部１０２は、第１のフック部２０１と、第２のフック部２０２と、を備えている。この実施の形態においては、第１のフック部２０１によってフック部を実現することができる。第１のフック部２０１は、足場部１０１のスライド方向における一端側に設けられ、先端が鈎状に屈曲した棒状部材２０１ａからなる。
【００４８】
第１のフック部２０１は、先端２０１ｂが鈎状に屈曲した棒状部材２０１ａの他端を、第１の足場部１０１ａのスライド方向における一端側に連結することによって構成されている。第１のフック部２０１は、第１の足場部１０１ａにおいて、当該第１の足場部１０１ａから第２の足場部１０１ｂが引き出される方向とは反対側の端部に設けられている。
【００４９】
第１のフック部２０１をなす棒状部材２０１ａの先端２０１ｂは、第１のフック部２０１の取り付け対象部分（第１の架線対象物）に棒状部材２０１ａの先端２０１ｂを引っ掛けることができる曲率で屈曲されている。第１の架線対象物は、たとえば送電鉄塔の腕金（図６を参照）に連結された電力線（図６を参照）とすることができる。第１のフック部２０１をなす棒状部材２０１ａの先端２０１ｂは、たとえば第１の架線対象物である電力線の直径と同等あるいは当該直径よりも若干大径となる曲率で屈曲されていることが好ましい。
【００５０】
棒状部材２０１ａの先端２０１ｂをこのような形状とすることにより、当該棒状部材２０１ａの先端２０１ｂを電力線に容易に引っ掛けることができる。また、棒状部材２０１ａの先端２０１ｂをこのような形状とすることにより、電力線に容易に引っ掛けた棒状部材２０１ａの先端２０１ｂを、当該電力線から容易に取り外すことができる。
【００５１】
先端２０１ｂが屈曲した棒状部材２０１ａによって第１のフック部２０１を実現することにより、棒状部材２０１ａの根本部分を押さえておくことで先端２０１ｂの位置を安定化することができる。これによって、第１のフック部２０１を引っ掛けるための電力線の位置が作業者の立ち位置から離れている場合でも、棒状部材２０１ａの先端２０１ｂを電力線に容易に引っ掛けることができる。
【００５２】
また、第１のフック部２０１をなす棒状部材２０１ａの先端２０１ｂは、少なくとも半円を描くように屈曲されていることが好ましい。これにより、電力線に対する棒状部材２０１ａの先端２０１ｂの着脱を容易におこなわせるとともに、電力線に引っ掛けた状態の棒状部材２０１ａの先端２０１ｂが乗り出し作業中に当該電力線から外れることを防止することができる。
【００５３】
第１のフック部２０１をなす棒状部材２０１ａの他端は、第１の足場部１０１ａに対して自在継手機構を介して連結されている。これにより、第１のフック部２０１をなす棒状部材２０１ａの長手方向と足場部１０１における面方向とがなす角度を自由に変化させることができる。自在継手機構は、ボールジョイント、カルダンジョイント、ツェッパジョイントなどと称される公知の各種の自在継手（ユニバーサルジョイント：ｕｎｉｖｅｒｓａｌ  ｊｏｉｎｔ）によって実現することができる。
【００５４】
ボールジョイント、カルダンジョイント、ツェッパジョイントなどの自在継手を用いることにより、第１のフック部２０１をなす棒状部材２０１ａの長手方向と足場部１０１における面方向とがなす角度を３次元で調整することができる。すなわち、足場部１０１の長手方向に対して棒状部材２０１ａがなす角度と、足場部１０１の幅方向に対して棒状部材２０１ａがなす角度と、を単一の自在継手によって調整することができる。
【００５５】
また、第１のフック部２０１をなす棒状部材２０１ａは、図２において矢印２００で示すように、棒状部材２０１ａの軸心を中心として回転可能に設けられている。これにより、第１のフック部２０１をなす棒状部材２０１ａの先端２０１ｂの方向を、電力線の架線方向などにあわせて任意の方向に調整することができる。
【００５６】
ボールジョイント、カルダンジョイント、ツェッパジョイントなどと称される公知の各種の自在継手は、公知の各種技術を用いて容易に実現可能であるため説明を省略する。ボールジョイント、カルダンジョイント、ツェッパジョイントなどと称される公知の各種の自在継手を自在継手機構として用いる場合、当該自在継手機構の一端は、たとえば溶接あるいはボルト固定などの方法によって、第１の足場部１０１ａに固定されていることが好ましい。これにより、乗り出し作業に際しての作業者の安全性の向上を図ることができる。
【００５７】
自在継手機構は、ボールジョイント、カルダンジョイント、ツェッパジョイントなどのように単一の自在継手によって、足場部１０１の長手方向に対して棒状部材２０１ａがなす角度と足場部１０１の幅方向に対して棒状部材２０１ａがなす角度との双方の角度を調整するものに限らない。たとえば、足場部１０１の長手方向に対して棒状部材２０１ａがなす角度を調整可能な継手機構と、足場部１０１の幅方向に対して棒状部材２０１ａがなす角度を調整可能な継手機構と、を棒状部材２０１ａの長手方向に沿って連結することによって自在継手機構を実現するようにしてもよい。
【００５８】
このような自在継手機構は、具体的には、たとえば第２の足場部１０１ｂをなす平板状部材の連結用の部材にスナップフックやナスカンなどのフック部材を固定し、このフック部材と棒状部材２０１ａとを当該棒状部材２０１ａの軸方向に対してフック部材が回転可能となるように回転カンを介して連結することによって実現することができる。
【００５９】
このような自在継手機構においては、連結用の部材を軸心としてフック部材を回転させることによって足場部１０１の長手方向に対して棒状部材２０１ａがなす角度を調整し、回転カンを介してフック部材に対して棒状部材２０１ａを回転させることによって足場部１０１の幅方向に対して棒状部材２０１ａがなす角度との双方の角度を調整することができる。
【００６０】
足場部１０１と第１のフック部２０１とを自在継手を介して連結することにより、棒状部材２０１ａが足場部１０１に対してなす角度や、棒状部材２０１ａにおける先端２０１ｂの屈曲方向が足場部１０１に対してなす角度に自由度を持たせることができる。すなわち、足場部１０１に対する第１のフック部２０１の姿勢に自由度を持たせることができる。これにより、第１のフック部２０１を棒状部材２０１ａによって実現することによる、第１のフック部２０１自体の形状の自由度の低下を自在継手機構によって補うことができる。
【００６１】
自在継手機構は、所定以上の荷重が加えられた場合に棒状部材２０１ａが足場部１０１に対してなす角度を変えるように、所定の摩擦を有した状態で足場部１０１と第１のフック部２０１とを連結するものであってもよい。これによって、足場部１０１に対する棒状部材２０１ａの姿勢の自由度を確保しつつ、簡易足場装置１００の設置に際して、第１のフック部２０１をなす棒状部材２０１ａの姿勢が安定せず、当該棒状部材２０１ａの先端２０１ｂを電力線に引っ掛けづらい状況が発生することを防止できる。
【００６２】
第１のフック部２０１をなす棒状部材２０１ａは、自在継手機構を介して、棒状部材２０１ａが足場部１０１の長手方向と並行になるように折りたたむことができる。このように、第１のフック部２０１をなす棒状部材２０１ａを折りたたむことにより、第１の足場部１０１ａをなす２つの平板状部材の間の隙間１１０に、折りたたんだ棒状部材２０１ａを収納することができる。この実施の形態においては、第１の足場部１０１ａをなす２つの平板状部材の間の隙間１１０によって、棒状部材２０１ａを収納する収納部を実現することができる。
【００６３】
隙間１１０は、幅方向の寸法が、棒状部材２０１ａの直径寸法と同等とされていることが好ましい。これにより、折りたたんだ状態の棒状部材２０１ａを隙間１１０に嵌め込むことによって、棒状部材２０１ａの位置を定めることができる。棒状部材２０１ａの位置を定めることによって、棒状部材２０１ａが簡易足場装置１００の運搬に際して邪魔になったり、途中で引っかかって昇降塔に支障をきたしたりすることを防止することができる。
【００６４】
また、足場部１０１に連結した状態の棒状部材２０１ａを折りたたんで隙間１１０に収納することにより、昇降塔時における棒状部材２０１ａの落下や、簡易足場装置１００の運搬や保管中の棒状部材２０１ａの紛失などを防止することができる。これによって、使い勝手がよく、管理のしやすい簡易足場装置１００を提供することができる。
【００６５】
あるいは隙間１１０は、幅方向の寸法が、棒状部材２０１ａの直径寸法よりも若干広くてもよい。隙間１１０の幅方向の寸法が棒状部材２０１ａの直径寸法よりも若干広い場合、棒状部材２０１ａを保持する保持部材を隙間１１０に設けることが好ましい。この場合の保持部材は、たとえば隙間１００における棒状部材２０１ａのがたつきを抑えるような突起によって実現することができる。これによって、棒状部材２０１ａが簡易足場装置１００の運搬に際して邪魔になったり、途中で引っかかって昇降塔に支障をきたしたりすることを防止することができる。
【００６６】
第２のフック部２０２は、ロープ部２０２ａと、固定部２０２ｂと、によって構成されている。第２のフック部２０２は、足場部１０１のスライド方向の他端側、すなわち足場部１０１の一端側に設けられた第１のフック部２０１とは反対側の端部に設けられている。具体的には、第２のフック部２０２は、第２の足場部１０１ｂにおける他端に取り付けられたロープ部２０２ａと、当該ロープに取り付けられた固定部２０２ｂと、によって構成されている。
【００６７】
ロープ部２０２ａは、紐状あるいは帯状をなし、第２のフック部２０２の取り付け対象部分（第２の架線対象物）にロープ部２０２ａを巻き付けることができるように、所定の長さと所定の柔軟性とを備えている。第２の架線対象物は、たとえば送電鉄塔の腕金（図６を参照）とすることができる。
【００６８】
ロープ部２０２ａは、たとえば送電鉄塔の腕金にロープ部２０２ａを巻き付けることができる長さ、あるいはそれ以上の長さとされている。また、ロープ部２０２ａは、たとえば送電鉄塔の腕金に沿って変形することができる柔軟性を備えている。具体的には、ロープ部２０２ａは、たとえばナイロン製の繊維や針金状の鋼線などを長く撚り合わせたものによって実現することができる。
【００６９】
固定部２０２ｂは、ロープ部２０２ａに設けられ、第２の架線対象物である送電鉄塔の腕金に対してロープ部２０２ａを固定する。固定部２０２ｂは、開閉可能な環形状をなす環状部材と当該環状部材の開閉をロックするロック機構とを有している。固定部２０２ｂにおける環状部材は、具体的には、たとえば高所作業や救助用の安全帯あるいは登山道具などとして用いられるカラビナ（ドイツ語のＫａｒａｂｉｎｅｒｈａｋｅｎを略したＫａｒａｂｉｎｅｒ）によって実現することができる。
【００７０】
カラビナは、アルミニウム製や鉄製の環形状をなし、環を開閉するゲートなどの開閉部品を備えている。カラビナの形状は、たとえばＤ型、Ｏ型（オーバル型）、洋ナシ形（ナス型）など公知の各種の形状のものを用いることができる。Ｄ型、Ｏ型（オーバル型）、洋ナシ形（ナス型）などの各種の環状部材については、公知の技術を用いて容易に実現可能であるため説明を省略する。
【００７１】
ロック機構は、ゲートなどの開閉部品がなす開口が不用意に開かないように、当該開閉部品の動作をロックする。このロック機構は、上記のカラビナに適用される公知の各種のロック機構を用いることができる。具体的には、ロック機構は、たとえばスクリューロックなどの各種の構成によって実現することができる。
【００７２】
ロック機構を備えた固定部２０２ｂとしては、具体的には、たとえばボールロックやトライアクトロックなどと称されるオートロック式の安全環を用いることもできる。スクリューロック、ボールロックおよびトライアクトロックなどの各種のロック機構については、公知の技術を用いて容易に実現可能であるため説明を省略する。
【００７３】
第２のフック部２０２は、送電鉄塔の腕金に巻き付けられた状態のロープ部２０２ａを環状部材の内周側に位置付けた状態で、当該環状部材の開閉をロック機構によってロックすることにより、送電鉄塔の腕金に対するロープ部２０２ａの位置を固定する。環状部材の開閉をロック機構によってロックすることにより、乗り出し作業に際して第２のフック部２０２が送電鉄塔の腕金から外れてしまうことを確実に防止することができる。
【００７４】
（簡易足場装置１００の使用方法）
つぎに、この発明にかかる実施の形態の簡易足場装置１００の使用方法について説明する。図５、図６、図７、図８および図９は、この発明にかかる実施の形態の簡易足場装置１００の使用方法を示す説明図である。図５、図６、図７、図８および図９において、簡易足場装置１００の使用に際しては、まず、第１の足場部１０１ａと第２の足場部１０１ｂとを重ね合わせた状態で、位置固定部３０３によって第１の足場部１０１ａおよび第２の足場部１０１ｂの位置関係を固定する。
【００７５】
第１の足場部１０１ａおよび第２の足場部１０１ｂの位置関係を固定した状態で、足場部１０１を作業者５００の背中側に位置付け、ロープ部２０２ａを作業者５００の腹側に引き回し、固定部２０２ｂにおける環状部材を足場部１０１に引っ掛けて固定する。このとき、固定部２０２ｂにおける環状部材は、たとえば第１の足場部１０１ａをなす２つの平板状部材を連結する金具などに引っ掛けて固定する。これにより、簡易足場装置１００を運搬するための装備を用いることなく、簡易足場装置１００を作業者５００に固定することができる（図５を参照）。
【００７６】
作業者５００は、簡易足場装置１００を身体に固定した状態で、点検作業の対象箇所まで鉄塔を昇る。点検対象の対象箇所に到達後、固定部２０２ｂにおける環状部材を足場部１０１から取り外す。これにより、身体に固定していた簡易足場装置１００が作業者５００の身体から離れる。
【００７７】
簡易足場装置１００は、格別の装備を用いることなく点検作業の対象箇所まで運搬することができるので、簡易足場装置１００を作業者５００の身体から離した場合に、点検作業に不要な部材が発生することがない。これにより、高所からの物品の落下を防ぐことができるので、作業者５００のみならず、送電鉄塔の下方にいる作業者５００の落下物に対する安全を確保することができる。
【００７８】
つぎに、位置固定部３０３における閂状部材４０２を取り外し、第１の足場部１０１ａに対して第２の足場部１０１ｂを相対的にスライドさせる。そして、第１の足場部１０１ａから第２の足場部１０１ｂを引き出した状態とした後、乗り出し作業に適した長さで足場部１０１の長さを位置固定部３０３によって固定する。足場部１０１の長さを固定した状態で、第２のフック部２０２におけるロープ部２０２ａを送電鉄塔の腕金などの鉄塔部材６０１に巻き付け、この状態で固定部２０２ｂにおける環状部材をロープ部２０２ａに引っ掛ける。これにより、第２のフック部２０２を送電鉄塔の腕金６０１に固定することができる。
【００７９】
また、環状部材により第２のフック部２０２を送電鉄塔の腕金などの鉄塔部材６０１に固定した状態で、固定部２０２ｂにおけるロック機構によるロックをおこなう。これにより、環状部材が不用意に開くことを防止し、作業者５００の安全性を確保することができる。送電鉄塔の腕金などの鉄塔部材６０１に対する第２のフック部２０２の固定作業を、電力線に対する第１のフック部２０１の引っ掛け作業よりも先におこなうことにより、簡易足場装置１００の落下を確実に防止し、簡易足場装置１００を取り付ける作業者５００および当該作業者５００よりも下方に位置する作業者５００の安全性を確保することができる。
【００８０】
送電鉄塔の腕金などの鉄塔部材６０１に対する第２のフック部２０２の固定作業は、足場部１０１の長さを調整する前におこなってもよい。この場合、足場部１０１が、第１の足場部１０１ａと第２の足場部１０１ｂとを重ね合わされた状態のまま送電鉄塔の腕金などの鉄塔部材６０１に対する第２のフック部２０２の固定作業をおこなうため、足場部１０１の取り扱い性が容易になる。そして、この場合、送電鉄塔の腕金などの鉄塔部材６０１に対する第２のフック部２０２の固定作業後に、足場部１０１の長さを調整する。
【００８１】
その後、第１のフック部２０１をなす棒状部材２０１ａの先端２０１ｂを電力線６０２のクランプ６０３あるいはその近傍に引っ掛ける。このとき、第１のフック部２０１をなす棒状部材２０１ａの根本部分を押さえた状態で棒状部材２０１ａの先端２０１ｂを電力線６０２のクランプ６０３などに引っ掛ける。
【００８２】
あるいは、自在継手機構が、所定の摩擦を有した状態で足場部１０１と第１のフック部２０１とを連結している場合は、足場部１０１を押さえた状態で棒状部材２０１ａの先端２０１ｂを電力線６０２のクランプ６０３に引っ掛けるようにしてもよい。これにより、作業者５００の立ち位置が電力線６０２のクランプ６０３から離れている場合にも、第１のフック部２０１を電力線６０２のクランプ６０３に容易に引っ掛けることができる。
【００８３】
なお、上述した簡易足場装置１００の取り付け手順においては、足場部１０１の長さを固定した後、送電鉄塔の腕金などの鉄塔部材６０１に第２のフック部２０２を固定してから、第１のフック部２０１を電力線６０２のクランプ６０３に引っ掛けることによって、簡易足場装置１００の設置をおこなったが、簡易足場装置１００の取り付け手順は上述の順番に限らない。たとえば足場部１０１の長さを固定した後、第１のフック部２０１を電力線６０２のクランプ６０３に引っ掛けてから、送電鉄塔の腕金などの鉄塔部材６０１に第２のフック部２０２を固定することによって簡易足場装置１００の設置をおこなってもよい。
【００８４】
点検作業をおこなう作業者５００は、上述したような手順によって点検作業の対象箇所に応じた位置に簡易足場装置１００を設置した後、設置した簡易足場装置１００における足場部１０１に乗って作業をおこなう。簡易足場装置１００を用いた作業は、架空送電鉄塔に設けられた碍子やクランプ６０３付近の状態の点検作業などのように、作業者５００の体重および当該作業者５００の装備の重量以外に簡易足場装置１００に対する荷重がかからない簡易な作業が適している。
【００８５】
乗り出し作業の終了後は、設置されている簡易足場装置１００を取り外す。簡易足場装置１００の取り外しに際しては、まず、電力線６０２のクランプ６０３から第１のフック部２０１を取り外す。このとき、第１のフック部２０１をなす棒状部材２０１ａの先端２０１ｂが、略半円形状をなすように屈曲した形状とされているため、当該先端２０１ｂを電力線６０２のクランプ６０３から容易に取り外すことができる。
【００８６】
つぎに、乗り出し作業のために伸ばした状態となっている第１の足場部１０１ａと第２の足場部１０１ｂとを重ね合わせ、重ね合わせた状態で位置固定部３０３によって第１の足場部１０１ａおよび第２の足場部１０１ｂの位置関係を固定する。これにより、足場部１０１の長さがもっとも短くなる状態で第１の足場部１０１ａおよび第２の足場部１０１ｂの位置関係を固定することができる。
【００８７】
その後、固定部２０２ｂにおけるロック機構によるロックを解除し、環状部材によって固定されていたロープ部２０２ａを、送電鉄塔の腕金などの鉄塔部材６０１から取り外す。これにより、簡易足場装置１００を送電鉄塔の腕金などの鉄塔部材６０１から取り外すことができる。
【００８８】
送電鉄塔の腕金などの鉄塔部材６０１から簡易足場装置１００を取り外すまでの直前まで、第２のフック部２０２によって簡易足場装置１００が送電鉄塔の腕金などの鉄塔部材６０１に固定されているため、簡易足場装置１００の取り外し作業の最中に当該簡易足場装置１００が地上に落下することを確実に防止することができる。
【００８９】
簡易足場装置１００を送電鉄塔の腕金などの鉄塔部材６０１から取り外した後は、第１の足場部１０１ａおよび第２の足場部１０１ｂの位置関係を固定した状態で、足場部１０１を作業者５００の背中側に位置付け、ロープ部２０２ａを作業者５００の腹側に引き回し、固定部２０２ｂにおける環状部材を足場部１０１に引っ掛けて固定し、昇塔時と同様にして送電鉄塔から地上へ降りる。これにより、簡易足場装置１００を運搬するための装備を用いることなく、簡易足場装置１００を運搬することができる。
【００９０】
以上説明したように、この実施の形態の簡易足場装置１００は、スライド可能に連結された一対の板状部材からなり、一方の板状部材が他方の板状部材に対してスライドすることによりスライド方向における長さが調整可能な足場部１０１と、足場部１０１のスライド方向における一端側に設けられ、先端２０１ｂが鈎状に屈曲した棒状部材２０１ａからなるフック部の一例としての第１のフック部２０１と、足場部１０１のスライド方向における他端側に設けられたロープ部２０２ａと、ロープ部２０２ａに設けられ、架線対象物に対してロープ部２０２ａを固定する固定部２０２ｂと、を備えたことを特徴としている。
【００９１】
この実施の形態の簡易足場装置１００によれば、運搬に際しては足場部１０１における一対の板状部材を重ね合わせた状態とすることで小型化を図り、乗り出し作業に際しては足場部１０１の長さを調整することにより乗り出し作業に必要な長さの足場を容易に確保することができる。また、この実施の形態の簡易足場装置１００によれば、足場部１０１の長さを調整した状態で、第１のフック部２０１を架線対象物である電力線６０２のクランプ６０３に引っ掛けるとともに架線対象物にロープ部２０２ａを巻き付けることによって、簡易足場装置１００を容易に設置することができる。
【００９２】
これによって、この実施の形態の簡易足場装置１００によれば、足場部１０１の長さを適宜調整することによって運搬時における小型化を図りつつ乗り出し作業に支障のない長さの足場を確保することができる。これにより、乗り出し作業に際しての足場部１０１の安定化を図りつつ、作業の効率化を図ることができる。
【００９３】
また、この実施の形態の簡易足場装置１００によれば、足場部１０１の他端側を柔軟性を有するロープ部２０２ａによって支えることにより設置環境に左右されることなく簡易足場装置１００を確実に設置するとともに、足場部１０１の一端側を棒状部材２０１ａがなす第１のフック部２０１によって支えることにより乗り出し作業に際しての足場部１０１のふらつきを抑えることができる。これによって、この実施の形態の簡易足場装置１００によれば、乗り出し作業に際しての安定した足場を確保することができる。
【００９４】
また、この実施の形態の簡易足場装置１００によれば、運搬に際しては簡易足場装置１００を運搬する作業者５００の身体にロープ部２０２ａを回した状態で当該ロープ部２０２ａを固定部２０２ｂによって固定することにより、簡易足場装置１００を運搬するための装備を別途用いることなく簡易足場装置１００のみを確実に運搬することができる。これによって、この実施の形態の簡易足場装置１００によれば、簡易足場装置１００の運搬作業に際して作業者５００にかかる負担を軽減することができる。
【００９５】
このように、この実施の形態の簡易足場装置１００によれば、運搬時における小型化を図りつつ乗り出し作業に支障のない長さの足場を確保するとともに、運搬に際しての作業者５００の負担軽減を図ることができる。これによって、可搬性の向上および作業効率の向上を図ることができる。
【００９６】
すなわち、乗り出し作業に際して、この実施の形態の簡易足場装置１００を用いることにより作業床が安定し、作業者５００が足場に気を取られることなく点検作業などの各種作業をおこなうことができるので、作業性を向上させることができる。
【００９７】
また、作業者５００が一人で容易に運搬できる構成とすることにより、簡易足場装置１００の取り付け作業の容易化を図ることができるので、これによっても作業性を向上させることができる。また、作業者５００が一人で容易に運搬できる構成とすることにより、簡易足場装置１００の軽量化を図ることができ、簡易足場装置１００の運搬作業に際して作業者５００にかかる負担を軽減することができる。
【００９８】
さらに、この実施の形態の簡易足場装置１００は、足場部１０１の長さを調整する機構がスライド式であるため、簡易足場装置１００の不使用時には容易に小型化（コンパクト化）することができる。これによって、作業者５００が、当該作業者５００の身体に簡易足場装置１００を身につけた状態での運搬および昇降塔に際して作業者５００にかかる負担を軽減することができる。
【００９９】
そして、上記のように運搬および乗り出し作業に際して作業者５００にかかる負担の軽減およびこれらの作業の容易化を図ることにより、従来の方法により同様の作業をおこなう場合と比較して作業員数を減らすことができるとともに、作業時間の削減を図ることができる。
【０１００】
また、作業者５００にかかる負担を軽減することにより、作業者５００の注意力の低下を抑制することができるので、作業に際しての作業者５００の安全性の向上を図ることができる。
【０１０１】
また、この実施の形態の簡易足場装置１００は、足場部１０１が、一方の板状部材が他方の板状部材に対してスライドした所定の位置で一対の板状部材の位置関係を固定する位置固定部３０３を備えたことを特徴としている。この実施の形態の簡易足場装置１００によれば、乗り出し作業に際しての足場の安定化を図り、作業者５００の安全性を確保することができる。
【０１０２】
また、この実施の形態の簡易足場装置１００は、足場部１０１が、第１のフック部２０１をなす棒状部材２０１ａを収納可能な収納部の一例としての隙間１１０を備え、第１のフック部２０１が、隙間１１０に対して収納可能に設けられていることを特徴としている。
【０１０３】
この実施の形態の簡易足場装置１００によれば、簡易足場装置１００の運搬に際しては、隙間１１０に第１のフック部２０１をなす棒状部材２０１ａを収納した状態とすることによって、簡易足場装置１００の小型化を図ることができる。これによって、この実施の形態の簡易足場装置１００によれば、簡易足場装置１００の運搬作業に際して作業者５００にかかる負担を軽減することができる。
【０１０４】
また、この実施の形態の簡易足場装置１００によれば、簡易足場装置１００の運搬に際しては、隙間１１０に第１のフック部２０１をなす棒状部材２０１ａを収納した状態とすることによって、簡易足場装置１００の小型化を図ることができる。これによって、この発明にかかる簡易足場装置１００によれば、簡易足場装置１００の運搬作業に際して作業者５００にかかる負担を軽減することができる。
【０１０５】
また、この実施の形態の簡易足場装置１００は、固定部２０２ｂが、開閉可能な環形状をなす環状部材と当該環状部材の開閉をロックするロック機構とを有し、環状部材の内周側に架線対象物に巻き付けられた状態のロープ部２０２ａを位置付けた状態で当該環状部材の開閉をロック機構によってロックすることにより、架線対象物に対してロープ部２０２ａを固定することを特徴としている。この実施の形態の簡易足場装置１００によれば、架線対象物に対してロープ部２０２ａを容易かつ確実に固定することができる。
【０１０６】
また、この実施の形態の簡易足場装置１００は、足場部１０１が、作業者５００が足を乗せる位置に設けられた滑り止め部材１０３を備えたことを特徴としている。この実施の形態の簡易足場装置１００によれば、乗り出し作業に際して、足場部１０１に乗せた作業者５００の足の足場部１０１に対する位置の安定化を図ることができ、乗り出し作業に際しての安定した足場を確保することができる。
【産業上の利用可能性】
【０１０７】
以上のように、この発明にかかる簡易足場装置は、高所作業に用いる簡易足場装置に有用であり、特に、送電鉄塔上での点検作業などのような高所での簡易な作業に用いる簡易足場装置に適している。
【符号の説明】
【０１０８】
１００  簡易足場装置
１０１  足場部
１１０  隙間
２０１  第１のフック部
２０１ａ  棒状部材
２０２ａ  ロープ部
２０２ｂ  固定部
３０３  位置固定部
【図１】
2011030287.tif 000003
【図２】
2011030287.tif 000004
【図３】
2011030287.tif 000005
【図４】
2011030287.tif 000006
【図５】
2011030287.tif 000007
【図６】
2011030287.tif 000008
【図７】
2011030287.tif 000009
【図８】
2011030287.tif 000010
【図９】
2011030287.tif 000011
【図１０】
2011030287.tif 000012
【図１１】
2011030287.tif 000013